(57)【特許請求の範囲】
【請求項１】
２つのマッサージモジュールと、前記２つのマッサージモジュールの間に接続される接続モジュールとを備える頸部マッサージ器であって、一体に係り合いＵ形殻体を形成する上殻と下殻を更に備え、前記２つのマッサージモジュールと前記接続モジュールがいずれも前記Ｕ形殻体内に設けられ、前記２つのマッサージモジュールがいずれも動力素子と、前記動力素子によって駆動されるマッサージヘッドとを備え、前記接続モジュールがそれぞれ各動力素子に接続される２つの歯竿と、２つの歯竿を相対的に収縮したり拡張したりする調節装置とを備え、前記歯竿が前記動力素子に接続され、
前記動力素子は、第１の出力軸と第２の出力軸を備えるギヤーボックスを備え、各前記マッサージモジュールはいずれも、それぞれが前記第１の出力軸と前記第２の出力軸に固定される２つのマッサージヘッドを備えることを特徴とする頸部マッサージ器。
【請求項２】
前記Ｕ形殻体内であって且つ各前記ギヤーボックスの上側と下側にそれぞれ横方向にガイドレールが設けられ、各前記ギヤーボックスの上端と下端にいずれも各ガイドレールを嵌め込むガイドスリーブが設けられていることを特徴とする請求項１に記載の頸部マッサージ器。
【請求項３】
前記調節装置は、外部から前記Ｕ形殻体内に延伸する回転軸と、前記回転軸の外端部に設けられるノブと、前記回転軸の内端部に設けられる歯車とを備え、前記歯車の上部と下部がそれぞれ各歯竿と噛み合うことを特徴とする請求項１又は２に記載の頸部マッサージ器。
【請求項４】
前記調節装置は、前記ノブと前記回転軸との間に設けられ、双方向を係止するロッキング構造を更に備えることを特徴とする請求項３に記載の頸部マッサージ器。
【請求項５】
前記ロッキング構造は、前記ノブと同期して回転できる爪車と、前記爪車と係り合える爪車ベースとを備え、前記回転軸が前記爪車の中心に貫設されるように固定されていることを特徴とする請求項４に記載の頸部マッサージ器。
【請求項６】
前記爪車ベースが前記爪車を装着し、前記爪車が逆方向に設けられる上爪車バックルと下爪車バックルを備え、前記爪車ベースに上爪車歯リングと下爪車歯リングが設けられており、前記上爪車歯リングと前記下爪車歯リングの爪車歯方向が反対であり、前記上爪車バックルと前記上爪車歯リングがマッチングし、前記下爪車バックルと前記下爪車歯リングがマッチングすることを特徴とする請求項５に記載の頸部マッサージ器。
【請求項７】
前記爪車が本体を備え、前記上爪車バックルと前記下爪車バックルが前記本体の軸に沿って前と後に向かって設けられ、且つ前記上爪車バックルと下爪車バックルが前記本体の径方向中心線に沿って左右に対称し、前記上爪車バックルと前記下爪車バックルに対称的に第１の取付溝が設けられ、前記２つの第１の取付溝が同一の円周線上に位置し、前記ノブの内側に前記２つの第１の取付溝に設置できる第１の固定柱が設けられていることを特徴とする請求項６に記載の頸部マッサージ器。
【請求項８】
前記下爪車バックルに、前記本体の径方向中心線に沿って２つの第２の固定柱が設けられており、前記２つの第２の固定柱がそれぞれ前記上爪車バックルのエッジに突き当たり、前記ノブの内側に、前記２つの第２の固定柱が回転する時にそれぞれそれらを摺動設置できるための第２の取付溝が対応して設けられていることを特徴とする請求項７に記載の頸部マッサージ器。
【請求項９】
前記上爪車バックルと前記下爪車バックルと前記本体との間にいずれも曲線状となる切り欠いた隙間が設けられていることを特徴とする請求項７又は８に記載の頸部マッサージ器。
【発明の詳細な説明】
【技術分野】
【０００１】
本発明は、マッサージ機器に関し、より具体的には、頸部マッサージ器に関する。
【背景技術】
【０００２】
従来の頸部マッサージ器は、主に人体の頸椎をマッサージするものであり、２つのマッサージヘッドと、２つのマッサージヘッドを一体に接続する中間コネクタとを含む。中間コネクタが弾性を有し、中間コネクタをそれぞれ２つのマッサージヘッドと内又は外へ折って、２つのマッサージヘッド同士を近づかせたり離れさせたりして、異なる消費者の使用に適用させる。しかしながら、このようなマッサージ器構造において、中間コネクタと２つのマッサージヘッドとの間にそれぞれ隙間があり、中間コネクタをそれぞれ２つのマッサージヘッドとともに内又は外へ折る時に、各マッサージヘッドと中間コネクタとの間の隙間が大きくなったり小さくなったりして、使用時に使用者の頭髪を隙間内に挟むことがよく発生し、使用に不便であり、また、このような曲げ調節式頸部マッサージ器は、長期にわたって曲げて使用することで２つのマッサージヘッドと中間コネクタの間の接続性能に影響を与えてしまう。
【発明の概要】
【発明が解決しようとする課題】
【０００３】
本発明は、従来の技術における欠陥を解消し、使用に便利であり、安全であり、性能が安定した頸部マッサージ器を提供し、従来の技術の課題を解決することを目的とする。
【課題を解決するための手段】
【０００４】
上述した技術問題を解決するために、本発明の技術方案は、２つのマッサージモジュールと、前記２つのマッサージモジュールの間に接続される接続モジュールとを備え、一体に係り合いＵ形殻体を形成する上殻と下殻を更に備え、前記２つのマッサージモジュールと前記接続モジュールがいずれも前記Ｕ形殻体内に設けられ、前記２つのマッサージモジュールがいずれも動力素子と、前記動力素子によって駆動されるマッサージヘッドとを備え、前記接続モジュールがそれぞれ各動力素子に接続される２つの歯竿と、２つの歯竿を相対的に収縮したり拡張したりする調節装置とを備える頸部マッサージ器を提供することである。
【０００５】
具体的には、前記動力素子は、第１の出力軸と第２の出力軸を備えるギヤーボックスであり、各前記マッサージモジュールはいずれも、それぞれが前記第１の出力軸と前記第２の出力軸に固定される２つのマッサージヘッドを備える。
【０００６】
具体的には、前記Ｕ形殻体内であって且つ各前記ギヤーボックスの上側と下側にそれぞれ横方向にガイドレールが設けられ、各前記ギヤーボックスの上端と下端にいずれも各ガイドレールを嵌め込むガイドスリーブが設けられている。
【０００７】
具体的には、前記調節装置は、外部から前記Ｕ形殻体内に延伸する回転軸と、前記回転軸の外端部に設けられるノブと、前記回転軸の内端部に設けられる歯車とを備え、前記歯車の上部と下部がそれぞれ各歯竿と噛み合う。
【０００８】
具体的には、前記調節装置は、前記ノブと前記回転軸の間に設けられ、双方向ロッキングするロッキング構造を更に備える。
【０００９】
具体的には、前記ロッキング構造は、前記ノブと同期して回転できる爪車と、前記爪車と係合する爪車ベースとを備え、前記回転軸が前記爪車の中心に貫設されるように固定されている。
【００１０】
具体的には、前記爪車ベースに前記爪車を装着し、前記爪車が逆方向に設けられる上爪車バックルと下爪車バックルを備え、前記爪車ベースに上爪車歯リングと下爪車歯リングが設けられており、前記上爪車歯リングと前記下爪車歯リングの爪車歯方向が反対であり、前記上爪車バックルと前記上爪車歯リングがマッチングし、前記下爪車バックルと前記下爪車歯リングがマッチングする。
【００１１】
具体的には、前記爪車が本体を備え、前記上爪車バックルと前記下爪車バックルが前記本体の軸に沿って前と後に向かって設けられ、且つ前記上爪車バックルと下爪車バックルが前記本体の径方向中心線に沿って左右に対称し、前記上爪車バックルと前記下爪車バックルに対称的に第１の取付溝が設けられ、前記２つの第１の取付溝が同一の円周線に位置し、前記ノブの内側に前記２つの第１の取付溝に設置できる第１の固定柱が設けられている。
【００１２】
具体的には、前記下爪車バックルに、前記本体の径方向中心線に沿って２つの第２の固定柱が設けられており、前記２つの第２の固定柱がそれぞれ前記上爪車バックルのエッジに突き当たり、前記ノブの内側に、前記２つの第２の固定柱が回転する時にそれぞれそれらを摺動設置できるための第２の取付溝が対応して設けられている。
【００１３】
更に、前記上爪車バックルと前記下爪車バックルと前記本体との間にいずれも曲線状となる切り欠いた隙間が設けられている。
【発明の効果】
【００１４】
本発明では、調節装置によって２つの歯竿を連動させて収縮したり拡張したりして、間接に２つの動力素子を連動させて相対的に近づかせたり離れさせたりすることで、２つのマッサージヘッドの間の相対距離を調節し、また、同時に、２つのマッサージモジュールと接続モジュールがいずれもＵ形殻体内に設けられており、Ｕ形殻体が上殻と下殻を組み合わせてなった一体構造であるので、Ｕ形殻体が２つのマッサージモジュールを完全にその内に包んでおり、２つのマッサージモジュールが相対的に移動している時に、Ｕ形殻体に隙間、裂け目が存在しないため、使用者の頭髪を挟むことなく、また、従来の人力による曲げ方式に比べて、本発明では調節装置によって２つのマッサージモジュールの間の距離を調節することになっており、このような調節方式がより精確であり、制御可能であり、長期にわたって使用しても接続部材の性能を損傷せず、使用寿命がより長い。
【図面の簡単な説明】
【００１５】
【図１】本発明で提供する頸部マッサージ器の好ましい実施例の構造模式図である。
【図２】本発明の実施例において引張ベルトを取外した分解図である。
【図３】本発明の実施例における頸部マッサージ器の断面図である。
【図４】図３におけるＡの拡大図である。
【図５】本発明の実施例における爪車ベースの構造図である。
【図６】本発明の実施例における爪車の構造図である。
【図７】本発明の実施例におけるノブベースの構造図である。
【図８】本発明の実施例においてノブが時計回りと逆の方向に回転している時に接続モジュールがマッサージヘッドを連動させて運動させる模式図である。
【図９】本発明の実施例においてノブが回転していない時の模式図である。
【図１０】本発明の実施例においてノブが時計回りに回転している時に接続モジュールがマッサージヘッドを連動させて運動させる模式図である。
【発明を実施するための形態】
【００１６】
本発明の目的、技術方案及び長所をより明らかにするために、以下、添付図面及び実施例を参照しながら、本発明を更に詳しく説明する。ここで述べた具体的な実施例は本発明を解釈するためのものだけであり、本発明を限定しないことは勿論である。
【００１７】
図１、図２を参照し、本発明は、２つのマッサージモジュール１００と、２つのマッサージモジュール１００の間に接続される接続モジュール２００とを備え、一体に係り合いＵ形殻体を形成する上殻３００と下殻４００を更に備え、２つのマッサージモジュール１００と接続モジュール２００がいずれもＵ形殻体内に設けられ、２つのマッサージモジュール１００がいずれも動力素子１１０と、動力素子１１０によって駆動されるマッサージヘッド１２０とを備え、接続モジュール２００が、それぞれ各動力素子１１０に接続される２つの歯竿２１０と、２つの歯竿２１０を相対的に収縮したり拡張したりする調節装置とを備える頸部マッサージ器を提供する。本発明では、調節装置によって２つの歯竿２１０を連動させて収縮したり拡張したりして、間接的に２つの動力素子１１０を連動させて相対的に近づかせたり離れさせたりすることで、２つのマッサージヘッド１２０の間の相対的距離を調節し、また、同時に、２つのマッサージモジュール１００と接続モジュール２００はいずれもＵ形殻体内に設けられ、Ｕ形殻体は上殻３００と下殻４００を組み合わせた一体構造であるので、Ｕ形殻体は２つのマッサージモジュール１００を完全にその内に包み、２つのマッサージモジュール１００が相対的に移動する時に、Ｕ形殻体に隙間、裂け目が存在しないため、使用者の頭髪を挟むことなく、また、従来の人力による曲げ方式に比べて、本発明では調節装置によって２つのマッサージモジュール１００の間の距離を調節することになっており、このような調節方式は、より正確で、制御可能であり、長期にわたって使用しても接続部材の性能を損傷せず使用寿命がより長い。
【００１８】
具体的には、図２を参照し、本実施例では、動力素子１１０は、第１の出力軸１１１と第２の出力軸を備えるギヤーボックスであり、各マッサージモジュール１００はいずれも、それぞれが第１の出力軸１１１と第２の出力軸１１２に固定される２つのマッサージヘッド１２０を備える。このようにして、各ギヤーボックスが起動すると、その第１の出力軸１１１と第２の出力軸１１２はそれぞれ２つのマッサージヘッド１２０を連動させて回転させてマッサージさせる。
【００１９】
本実施例では、Ｕ形殻体内に、具体的には下殻４００内であって、各ギヤーボックスの上側と下側にそれぞれ横方向にガイドレール４１０が設けられ、各ギヤーボックスの上端と下端にいずれも各ガイドレール４１０を嵌め込んだガイドスリーブ１１３が設けられている。このようにして、各ギヤーボックスが対応する歯竿２１０によって連動して移動する時に、ガイドスリーブ１１３はガイドレール４１０に沿って摺動し、ガイドレール４１０とのマッチングによって、各ギヤーボックスの運動にガイド作用を発揮し、その運動をよりバランスを取れたようにし、ずれを発生させない。
【００２０】
図３、図４を参照し、本実施例では、調節装置は、外部からＵ形殻体内に延伸する回転軸５００と、回転軸５００の外端部に設けられるノブ６００と、回転軸５００の内端部に設けられる歯車７００とを備え、歯車７００の上部と下部がそれぞれ各歯竿２１０と噛み合う。その内、ノブ６００は、Ｕ形殻体の内側に位置するノブカバー６１０と、Ｕ形殻体の外側に出っ張り、ノブカバー６１０と一体に固定されるノブベース６２０とを備える。ノブカバー６１０を回転する時に、ノブカバー６１０がノブベース６２０を連動させて回転させ、ノブベース６２０が回転軸５００を連動させて回転させ、回転軸５００の内端部に位置する歯車７００が回転軸５００によって連動して同期回転することになっており、歯車７００が時計回りに回転又は反時計回りに回転している時に、その上部と下部と噛み合っている２つの歯竿２１０を連動させてお互いに近づかせたり離れさせたりすることになっており、２つの歯竿２１０がそれぞれ２つのマッサージモジュール１００内のギヤーボックスに接続されているので、２つのマッサージモジュール１００がそれぞれ２つの歯竿２１０によって連動してお互いに近づいたり離れたりして、調節されて適切な間隔を得て、便利に異なる使用者に使用される。勿論、上述した２つのマッサージモジュール１００の間隔の調整は上述した調整装置を使用することに限定されることなく、重なりあうように設置し対応する能動バックルを利用する方式で調節してもよい。
【００２１】
更に、本実施例では、調節装置は、ノブベース６２０と回転軸５００の間に設けられ、双方向ロッキングするロッキング構造を更に備える。このロッキング構造によってノブベース６２０と回転軸５００をロッキングし、２つのマッサージモジュール１００がノブベース６２０によって適切な距離に調節された時に、ロッキング構造によって、ノブベース６２０がロッキングされ、人力による回転ではない場合に回転できないようにするため、２つのマッサージモジュール１００の間の間隔が固定され、マッサージ過程で両方がお互いに移動することを避け、便利に使用者に使用される。
【００２２】
図５、図６を参照し、本実施例では、ロッキング構造は、ノブベース６２０と同期して回転できる爪車８００と、爪車８００と係り合える爪車ベース９００とを備え、回転軸５００が爪車８００の中心に貫設されるように固定されている。具体的には、爪車ベース９００が爪車８００を装着し、爪車８００が逆方向に設けられた上爪車バックル８１０と下爪車バックル８２０を備え、爪車ベース９００に上爪車歯リング９１０と下爪車歯リング９２０が設けられ、且つ上爪車歯リング９１０と下爪車歯リング９２０の爪車歯方向が反対であり、上爪車バックル８１０と上爪車歯リング９１０がマッチングし、下爪車バックル８２０と下爪車歯リング９２０がマッチングする。ノブベース６２０が回転を停止した時に、上爪車バックル８１０と下爪車バックル８２０はそれぞれ上爪車歯リング９１０と下爪車歯リング９２０に係止し、このようにして外力作用がない場合に、爪車８００は回転できなく、それで回転軸５００は回転できなく、歯車７００も固定されて移動しなく、２つの歯竿２１０の相対的な固定が保証される。
【００２３】
図６を参照し、爪車８００は、柱状の本体８３０を備え、上爪車バックル８１０と下爪車バックル８２０は本体８３０の軸方向に沿って上下にずれて設けられ、且つ上爪車バックル８１０と下爪車バックル８２０はそれぞれ半円形構造であり、２つの半円形構造は本体８３０の径方向中心線に沿って左右に対称している。上爪車バックル８１０と下爪車バックル８２０に径方向中心線に沿って対称的に第１の取付溝８１１、８２１が設けられ、２つの第１の取付溝８１１、８２１が同一の円周線に位置する。ノブベース６２０の内側に２つの接続柱６２１が対称的に設けられ、取付時に２つの接続柱６２１がそれぞれ対応して第１の取付溝８１１、８２１内に設けられる。上述したお互いにマッチングする第１の取付溝８１１、８２１と接続柱６２１によって、効果的に爪車８００と爪車ベース９００を引っ張って分離させる。 
【００２４】
本実施例では、下爪車バックル８２０上で且つ径方向中心線に２つの固定柱８２２が設けられ、２つの固定柱８２２がいずれも上爪車バックル８１０のエッジに突き当たっている。ノブベース６２０の内側には対応する２つの第２の取付溝６２２が設けられ、取付時に２つの固定柱８２２がそれぞれ２つの第２の取付溝６２２内に摺動するように配置される。上述したお互いに組み合う第２の取付溝６２２と固定柱８２２とを設けることで、ノブベース６２０は回転する時に効果的に爪車８００を連動して回転する。
【００２５】
図６を参照し、上爪車バックル８１０と本体８３０の間に切り欠いた隙間８４０が設けられ、下爪車バックル８２０と本体８３０の間にも切り欠いた隙間８４０が設けられ、且つ隙間が曲線状となっている。このような隙間設計を採用することで、上爪車バックル８１０と下爪車バックル８２０の弾性がより良くなり、回転時により容易に爪車ベース９００から分離する。
【００２６】
図５を再度参照し、爪車ベース９００が中空のスリーブ状構造であり、上爪車歯リング９１０がスリーブ状構造の中空内孔の外側に設けられ、下爪車歯リング９２０が上爪車歯リング９１０の内側に設けられている。上爪車歯リング９１０の有する上爪車歯９１１の左側歯面が直角面であり、右側歯面が傾斜面であり、下爪車歯リング９２０の有する下爪車歯９２１の左側歯面が傾斜面であり、右側歯面が直角面である。図６をも参照し、上爪車バックル８１０の外側エッジに第１の凸起８１２が設けられ、下爪車バックル８２０の外側エッジに第２の凸起８２３が設けられている。第１の凸起８１２の爪車８００の円周方向に沿った内側面が直角面であり、外側面が円弧面であり、第２の凸起８２３の爪車の円周方向に沿った内側面が直角面であり、外側面が円弧面である。爪車ベース９００が爪車８００の外側に被せられており、この時に、第１の凸起８１２の直角面は上爪車歯リング９１０における上爪車歯９１１の左側歯面に係止され、第２の凸起８２３の直角面は下爪車歯リング９２０における下爪車歯９２１の右側歯面に係止されている。
【００２７】
本実施例では、Ｕ形殻体の両端部にいずれも引張ベルト３１０が設けられ、引張ベルト３１０に貫通孔３１１が設けられており、頸部マッサージ器を使用する時に、両手が各貫通孔３１１から伸ばしてＵ形殻体をしっかりつかむように強く握り、つかまれたＵ形殻体の内側に位置するマッサージヘッド１２０がより好適に頸部に貼り合わさってマッサージをすることを保証する一方、人手の作用によってＵ形殻体がマッサージして振動する時に頸部から滑り落ちることをも防止する。
【００２８】
図８を参照し、時計回りと逆の方向にノブカバー６１０を回転させる時に、２つの固定柱８２２による連動で、爪車はノブベース６２０に伴って回転する。ノブベース６２０が回転する時にその内側の２つの接続柱６２１が伴って時計回りと逆の方向に回転し、その内、第１の取付溝８１１内に位置する接続柱６２１が下へ運動し、他方の第１の取付溝８２１内に位置する接続柱６２１が上へ運動することになっており、爪車８００の上爪車バックル８１０と爪車ベース９００の上爪車歯リング９１０の係り合い面が上爪車歯９１１の左側に位置するので、このように、２つの固定柱８２２に引っ張られて、上爪車バックル８１０と上爪車歯リング９１０の上爪車歯９１１が分離することになっており、下爪車バックル８２０が時計回りに回転する時にその第２の凸起８２３の円弧面が下爪車歯リング９２０の下爪車歯９２１の傾斜面から穏やかに移行して分離し、このようにして、爪車８００が爪車ベース９００の制約から完全に離脱して運動し、歯車７００を連動させて時計回りと逆の方向に運動させ、この時に、歯車７００と上下に噛み合う２つの条歯竿２１０がお互いに離れ、２つのマッサージモジュール１００が外へ拡張し、２つのマッサージヘッド１２０がお互いに離れることになっており、同様に、図９を参照し、ノブカバー６１０が回転を停止した時に、回転している第１の凸起８１２と第２の凸起８２３も回転を停止し、そしてちょうど第１の凸起８１２と第２の凸起８２３の所在位置における上爪車歯９１１と下爪車歯８２１に係止され、このようにして外力作用がないと、爪車８００が固定されて回転できないので、歯車７００も回転できなく、２つの歯竿２１０が内又は外へ運動できないことが保証されており、図１０を参照し、時計回りにノブカバー６１０を回転する時に、２つのマッサージモジュール１００をお互いに近づかせることが可能であり、この原理が上述したのと同様であり、ここで詳しく述べない。
【００２９】
以上は、本発明の好ましい実施例だけであり、本発明を制限するためのものではなく、本発明の精神と原則内で行った修正や同等な置換え、改良等が全て本発明の特許請求の範囲に含まれるべきである。
【図１】
0005934441.tif 000002
【図２】
0005934441.tif 000003
【図３】
0005934441.tif 000004
【図４】
0005934441.tif 000005
【図５】
0005934441.tif 000006
【図６】
0005934441.tif 000007
【図７】
0005934441.tif 000008
【図８】
0005934441.tif 000009
【図９】
0005934441.tif 000010
【図１０】
0005934441.tif 000011